【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
２つのコネクタ及び２つの椎弓根ねじを用いて患者の脊椎の少なくとも２つの腰椎を屈曲可能に結合するインプラント器具であって、
ピボット箇所を前方に突き出す手段を有し、
前記ピボット箇所を前方に突き出す前記手段により、前記少なくとも２つの腰椎のうちの第１の腰椎は、前記少なくとも２つの腰椎のうちの第２の腰椎に対して回転することができる、インプラント器具。
【請求項２】
前記前方突き出し手段は、輪郭形状部を備える前後方向に差し向けられたセグメントから成る、請求項１記載のインプラント器具。
【請求項３】
前記前方突き出し手段は、継手が隣り合うロッド部分に設けられた状態で１つ又は２つ以上のゾーンによって境界付けられた前後方向セグメントから成る、請求項１記載のインプラント器具。
【請求項４】
前記前方突き出し手段は、可撓性うちわ状セグメントから成る、請求項１記載のインプラント器具。
【請求項５】
前記前方突き出し手段は、複数個のヒンジ部分から成り、前記複数個のヒンジ部分の少なくとも第１のヒンジ部分は、前記脊椎に関し前後方向軸線に対して横方向に差し向けられている、請求項１記載のインプラント器具。
【請求項６】
２つのコネクタ及び２つの椎弓根ねじを用いて患者の脊椎の少なくとも２つの椎骨を屈曲可能に結合するインプラント器具であって、
第１の端部及び第２の端部を備えたロッドを有し、前記第１の端部は、前記２つのコネクタのうち第１のコネクタを用いて前記椎弓根ねじのうち第１の椎弓根ねじに連結され、前記第２の端部は、前記２つのコネクタのうちの第２のコネクタを用いて前記椎弓根ねじのうちの第２の椎弓根ねじに連結され、
前記ロッドの第１のロッドアームによって前記第１のロッド端部に連結された前後方向ロッドセグメントを有し、前記前後方向ロッドセグメントは、前記ロッドの第２のロッドアームにより前記第２のロッド端部に連結され、
前記前後方向ロッドセグメントは、前記少なくとも２つの椎骨のうちの第１の椎骨が前記少なくとも２つの椎骨のうちの第２の椎骨に対して回転することができるようにするピボット箇所を前方に突き出す、インプラント器具。
【請求項７】
前記前後方向セグメントに設けられた複数個の凹状ディンプルを更に有し、前記ディンプルは、これらの凹部に向かう方向への曲げに対する抵抗が低く、これらの凹部から離れる方向における曲げに対する抵抗が高い、請求項６記載のインプラント器具。
【請求項８】
前記複数個の凹状ディンプルは、前記第１のディンプルの凹部が下方向に向くように差し向けられた第１のディンプルと、前記第２のディンプルの凹部が上方向に向くように差し向けられた第２のディンプルとから成り、前記第１のディンプルは、前記第２のディンプルの後方に配置されている、請求項７記載のインプラント器具。
【請求項９】
前記第１のロッドアームと一体であり、前記第１のアームが曲がることができるようにする第１の継手と、前記第２のアームと一体であり、前記第２のアームが曲がることができるようにする第２の継手とを更に有する、請求項６記載のインプラント器具。
【請求項１０】
前記少なくとも２つのロッド部材のうちの少なくとも１つは、
チタン、
ポリエーテルエーテルケトン、
ポリエーテルケトンケトン、
超高分子量ポリエチレン、及び
ポリメチルメタクリレート（ＰＭＭＡ）
から成る群から選択された材料で構成されている、請求項６記載のインプラント器具。
【請求項１１】
２つのコネクタ及び２つの椎弓根ねじを用いて患者の脊椎の少なくとも２つの椎骨を屈曲可能に結合するインプラント器具であって、
第１の端部及び第２の端部を備えたロッドを有し、前記第１の端部は、前記２つのコネクタのうち第１のコネクタを用いて前記椎弓根ねじのうち第１の椎弓根ねじに連結され、前記第２の端部は、前記２つのコネクタのうちの第２のコネクタを用いて前記椎弓根ねじのうちの第２の椎弓根ねじに連結され、
前記第１の端部と前記第２の端部との間に位置決めされている部分的に折り畳まれた部分を有し、前記部分的に折り畳まれた部分は、前記脊椎の屈曲の際に伸長する、インプラント器具。
【請求項１２】
前記部分的折り畳み部分は、撓み継手によって互いに連結された複数個の平らなセグメントから成り、前記平らなセグメントは、前記部分的折り畳みセグメントの前方の１点に収斂する複数本の軸線上で差し向けられ、前記平らなセグメントの前記向きは、前記少なくとも２つの椎骨のうちの第１の椎骨が前記少なくとも２つの椎骨のうちの第２の椎骨に対して回転することができるようにするピボット箇所を前方に突き出すような向きである、請求項１１記載のインプラント器具。
【請求項１３】
前記部分的折り畳み部分は、撓み継手によって互いに連結された複数個の平らなセグメントから成り、前記互いに連結された平らなセグメントは、前記インプラント器具が前方に突き出されたピボット箇所回りに回転することができるようにするのに十分な強度及び可撓性を備えた材料で作られ、前記インプラント器具の前記回転により、前記少なくとも２つの椎骨のうちの第１の椎骨は、前記少なくとも２つの椎骨のうちの第２の椎骨に対して回転することができる、請求項１１記載のインプラント器具。
【請求項１４】
前記少なくとも２つのロッド部材のうちの少なくとも１つは、
チタン、
ポリエーテルエーテルケトン、
ポリエーテルケトンケトン、
超高分子量ポリエチレン、及び
ポリメチルメタクリレート（ＰＭＭＡ）
から成る群から選択された材料で構成されている、請求項１１記載のインプラント器具。
【請求項１５】
２つのコネクタ及び２つの椎弓根ねじを用いて患者の脊椎の少なくとも２つの椎骨を屈曲可能に結合するインプラント器具であって、
第１の端部及び第２の端部を備えたロッドを有し、前記第１の端部は、前記２つのコネクタのうち第１のコネクタを用いて前記椎弓根ねじのうち第１の椎弓根ねじに連結され、前記第２の端部は、前記２つのコネクタのうちの第２のコネクタを用いて前記椎弓根ねじのうちの第２の椎弓根ねじに連結され、
前記ロッドは、複数個のヒンジ式部分を更に有し、前記複数個のヒンジ式部分のうちの少なくとも第１のヒンジ式部分は、前記脊椎に対して横方向に差し向けられ、前記複数個のヒンジ式部分は、前記少なくとも２つの椎骨のうちの第１の椎骨が前記少なくとも２つの椎骨のうちの第２の椎骨に対して回転することができるようにするピボット箇所を前方に突き出す、インプラント器具。
【請求項１６】
前記少なくとも２つのロッド部材のうちの少なくとも１つは、
チタン、
ポリエーテルエーテルケトン、
ポリエーテルケトンケトン、
超高分子量ポリエチレン、及び
ポリメチルメタクリレート（ＰＭＭＡ）
から成る群から選択された材料で構成されている、請求項１５記載のインプラント器具。
【請求項１７】
少なくとも２つの椎骨を屈曲可能に結合するインプラント器具であって、
２つ以上の断面領域を備えたプラスチックロッドを有し、前記ロッドは、前記ロッドが前記２つの椎骨の動きにつれて曲がることができるようにするエラストマーヒンジを有する、インプラント器具。
【請求項１８】
前記少なくとも２つのロッド部材のうちの少なくとも１つは、
チタン、
ポリエーテルエーテルケトン、
ポリエーテルケトンケトン、
超高分子量ポリエチレン、及び
ポリメチルメタクリレート（ＰＭＭＡ）
から成る群から選択された材料で構成されている、請求項１７記載のインプラント器具。
【請求項１９】
ヒトの脊椎の動的固定に用いられるロッド軸線を備えたロッド状要素であって、
第１の骨固定要素に連結される第１の区分と、
第２の骨固定要素に連結される第２の区分と、
第１の可撓性要素とを有し、前記第１の可撓性要素は、前記ロッド軸線に対して横断方向に前記可撓性要素に対して力が加わると、弾性変形を行うことができ、前記第１の区分と前記第２の区分は、前記ロッド軸線の方向に互いに対して常時動くことができる、ロッド状要素。
【請求項２０】
前記少なくとも２つのロッド部材のうちの少なくとも１つは、
チタン、
ポリエーテルエーテルケトン、
ポリエーテルケトンケトン、
超高分子量ポリエチレン、及び
ポリメチルメタクリレート（ＰＭＭＡ）
から成る群から選択された材料で構成されている、請求項１９記載のロッド状要素。